(57)【特許請求の範囲】
【請求項１】
軸受部が形成されてなるケースと、
それぞれ１つのブレードを保持してなる２個の保持部半体により構成されると共に、該２個の保持部半体が離間および近接若しくは密着可能に係合する二体構造とされたプラグと、
該ブレードを該ケースから引き出すことにより該２個の保持部半体を離間させると共に、該ブレードを該ケースへ収容することにより該２個の保持部半体を近接あるいは密着させ、該２個の保持部半体の近接および離間移動を調整する離間距離調整機構と、
該プラグに設けられており該軸受部に支持される第１および第２の回転軸とを設けてなり、該プラグが該ケースから引き出された状態から該回転軸を中心として９０°回転することにより該ケースに収容可能な構成とされたＡＣアダプタであって、
該第１の回転軸を、一方の保持部半体に設け、
該第２の回転軸を、該一方の保持部半体の該第１の回転軸が設けられた側と反対側に設けられると共に該第２の回転軸の外面の一部となる外面が形成された回転軸半体と、他方の保持部半体に設けられると共に該第２の回転軸の外面の一部となる外面が形成された回転軸半体とにより構成し、
該離間距離調整機構を、該他方の保持部半体の側壁に延出した突起部と、該ケースの該軸受部近傍に形成された略Ｌ字状の案内溝とにより構成し、該ブレードを操作することにより、該略Ｌ字状の案内溝に案内されて該突起部が移動し、該他方の保持部半体が該一方の保持部半体に対して離間および近接若しくは密着するように構成し、
かつ、該ブレードが該ケースに収納された状態では該一方の保持部半体に設けられた回転軸半体に形成された該外面のみにより該第２の回転軸が形成され、該ブレードが該ケースから引き出されることにより該他方の保持部半体が移動して、該一方の保持部半体に設けられた回転軸半体に形成された該外面と該他方の保持部半体に設けられた回転軸半体に形成された該外面とが面一になり、二つの該回転軸半体により該第２の回転軸が形成されるよう構成したことを特徴とするＡＣアダプタ。
【発明の詳細な説明】
【技術分野】
【０００１】
本発明はＡＣアダプタに関し、より詳細には可倒式プラグを備えたＡＣアダプタに関する。
【背景技術】
【０００２】
例えば、携帯用電話に充電を行うための携帯用ＡＣアダプタや、ＡＣ電源を使用電圧に変圧しあるいはＤＣ電源に変換するためのＡＣアダプタ等、各種のＡＣアダプタがある。これらのＡＣアダプタは、小型化および携帯性の向上を図るために、プラグをケースに対して９０°回転して収容可能な構成（可倒式の構成）とすることが行われている。
【０００３】
従来のアダプタの一例について、図９（ａ）、（ｂ）を参照して説明する。図９（ａ）はＡＣアダプタの概略正面図であり、図９（ｂ）はＡＣアダプタの図９（ａ）中ａ−ａ線上断面図である。
【０００４】
ＡＣアダプタ１には、絶縁性の樹脂から形成されたケース２と、プラグ３とが設けられている。プラグ３は、導電性の金属素材から形成された一対のブレード４ａ、４ｂと、そのブレード４ａ、４ｂの端部を樹脂材料を用いてモールドして一体的に形成された保持部５とから構成されている。なお、ケース２内には、ＡＣ電源をＤＣ電源に変換するための図示しない回路基板が配置される。
【０００５】
ＡＣプラグ３の保持部５には回転軸６が延出され、一方、ケース２内部には回転軸６を支持する軸受け部７が設けられている。プラグ３は、回転軸６を中心として、ケース２内に収容された状態（図９（ａ）中鎖線で示す。）と、図示しない電源に接続するためにケース２から突出した状態（図９（ａ）中実線で示す。）との間を図９（ａ）中矢印方向に９０°回転可能に設けられている。なお、ＡＣプラグ３の保持部５の端面には電源に接続するブレード４ａ、４ｂの接点部が設けられるとともにケース２内の回路基板に接触子が設けられ、プラグ３の回転時に接点部と接触子とが弾性的に接触可能に構成されているが、ここでは図示、説明を省略する。
【０００６】
上記したＡＣアダプタ１において、プラグ３のブレード４ａ、４ｂは回転軸６の軸線を挟んでブレード４ａ、４ｂの幅広部を対向させて配置されている。
【０００７】
プラグ３を回転して収容可能なＡＣアダプタ１は、プラグ３をケース２から引き起こして９０°回転させた状態（引き起こした状態）で、例えば、図示しない突起と孔部とからなる嵌合構造等によって固定（ロック）した状態で使用される（特許文献１参照）。
【特許文献１】特開平１１−２２４７１７号公報
【発明の開示】
【発明が解決しようとする課題】
【０００８】
しかしながら、従来のＡＣアダプタは、プラグのブレードおよび保持部が一体構造であるため、プラグをケースに収容した状態においてプラグに相当するスペースをケース内に確保する必要があり、ケースの小型化、言いかえればＡＣアダプタの小型化を図る上で大きな支障となっている。
【０００９】
本発明は、上記の課題に鑑みてなされたものであり、プラグを収容するケースの小型化、より正確には収容したプラグの１対のブレードが対向する方向の薄型化を図ることができるＡＣアダプタを提供することを目的とする。
【課題を解決するための手段】
【００１０】
上記の課題を解決するために本発明では、
軸受部が形成されてなるケースと、
それぞれ１つのブレードを保持してなる２個の保持部半体により構成されると共に、該２個の保持部半体が離間および近接若しくは密着可能に係合する二体構造とされたプラグと、
該ブレードを該ケースから引き出すことにより該２個の保持部半体を離間させると共に、該ブレードを該ケースへ収容することにより該２個の保持部半体を近接あるいは密着させ、該２個の保持部半体の近接及び離間移動を調整する離間距離調整機構と、
該プラグに設けられており該軸受部に支持される第１および第２の回転軸とを設けてなり、該プラグが該ケースから引き出された状態から該回転軸を中心として９０°回転することにより該ケース内に収容可能な構成とされたＡＣアダプタであって、
該第１の回転軸を、一方の保持部半体に設け、
該第２の回転軸を、該一方の保持部半体の該第１の回転軸が設けられた側と反対側に設けられると共に該第２の回転軸の外面の一部となる外面が形成された回転軸半体と、他方の保持部半体に設けられると共に該第２の回転軸の外面の一部となる外面が形成された回転軸半体とにより構成し、
該離間距離調整機構を、該他方の保持部半体の側壁に延出した突起部と、該ケースの該軸受部近傍に形成された略Ｌ字状の案内溝とにより構成し、該ブレードを操作することにより、該略Ｌ字状の案内溝に案内されて該突起部が移動し、該他方の保持部半体が該一方の保持部半体に対して離間および近接若しくは密着するように構成し、
かつ、該ブレードが該ケースに収納された状態では該一方の保持部半体に設けられた回転軸半体に形成された該外面のみにより該第２の回転軸が形成され、該ブレードが該ケースから引き出されることにより該他方の保持部半体が移動して、該一方の保持部半体に設けられた回転軸半体に形成された該外面と該他方の保持部半体に設けられた回転軸半体に形成された該外面とが面一になり、二つの該回転軸半体により該第２の回転軸が形成されるよう構成したことを特徴とするものである。
【発明の効果】
【００１１】
本発明によれば、一体型の従来のプラグに比べて、ケースのブレード離間方向の幅寸法を小さくして、ケースを薄型化することができる。
【発明を実施するための最良の形態】
【００１２】
次に、本発明を実施するための最良の形態について図面と共に説明する。
【００１３】
本発明に係るＡＣアダプタの好適な実施の形態（以下、本実施の形態例という。）について、図を参照して、以下に説明する。
【００１４】
本実施の形態の第１の例に係るＡＣアダプタについて、図１〜図５を参照して説明する。
【００１５】
本実施の形態の第１の例に係るＡＣアダプタ１０は、図１に示すように、組み合わせて１対とされるそれぞれ１つの導電金属製のブレード１２ａ、１２ｂを延出した例えば絶縁樹脂製の２個の保持部半体１４ａ、１４ｂからなるプラグ１６と、ＡＣ電源をＤＣ電源に変換するための回路基板１８と、これらプラグ１６および回路基板１８を収容する例えば絶縁樹脂製の上下半体２０ａ、２０ｂからなるケース２２とで略構成される。なお、参照符号２４は、プラグ１６に係合して用いる例えば弾力性に富む合成樹脂製のクリック感付与部材を示す。
【００１６】
保持部半体１４ａは、階段状に形成された矩形状部２６と、矩形状部２６と離間して設けられた板状部２８と、矩形状部２６の一側に円弧状に延出した舌片部３０とを有する。矩形状部２６の一側に棒状の導電金属製の接点部３２が設けられている。保持部半体１４ｂは、一側に段差状に凹部３４が形成された円柱状部３６を有する。円柱状部３６の凹部３４が形成された側と直交する一側に回転軸３８が延出するとともに、回転軸３８に棒状の導電金属製の接点部４０が設けられ、一方、接点部４０が設けられた側と反対の一側にも回転軸４２が設けられている。回転軸４２は、外周に複数の凹凸４２ａが設けられている。
【００１７】
矩形状部２６と凹部３４が嵌合して２個の保持部半体１４ａ、１４ｂが一体化されてプラグ１６を構成する。一体化した状態において、舌片部３０と円柱状部３６との間に円弧状の隙間（溝部）７２が形成される（図２参照）。２個の保持部半体１４ａ、１４ｂは、図１中Ｘ１−Ｘ２方向に離間可能に構成されている。回路基板１８には、先端をＵ字状に折り曲げられた一対の導電金属製の接触子４４ａ、４４ｂが対向して立設される。
【００１８】
ケース上半体２０ａは、プラグ１６を収容するための一対の縦壁部４６ａ、４８ａが対向して設けられ、縦壁部４６ａ、４８ａ間の空間部Ａの一端は一側面に形成された開口Ｂに連通する。壁部４６ａ、４８ａにはアーチ状の２つの軸受部半体５０ａ、５２ａが設けられている。なお、参照符号５４ａ、５６ａは係止部材を挿通するための孔部を有する円柱部を示す。
【００１９】
ケース下半体２０ｂは、ケース上半体２０ａと略対応して、２つの軸受部半体５０ｂ、５２ｂを有する一対の縦壁部４６ｂ、４８ｂおよび円柱部５４ｂ、５６ｂが設けられている。但し、ケース下半体２０ｂには、側面の開口Ｃとともに下面にも壁部間の空間部Ｄに連通する開口Ｅが形成されている。縦壁部４８ｂと側面５８とを繋いで突起部６０が設けられている。
【００２０】
ＡＣアダプタ１０を組立てた状態において、軸受部半体５０ａと軸受部半体５０ｂおよび軸受部半体５２ａと軸受部半体５２ｂとは、それぞれ軸受部を形成する。軸受部半体５０ｂの側面には図１中Ｙ方向に突条部（図1中ハッチングして示す。）６２が形成されている。この突条部６２の詳細についてはさらに後述する。
【００２１】
クリック感付与部材２４は、座部６４と、座部６４を挟んで対向する一対の弾性爪部６６ａ、６６ｂとが基部６８で一体化され、さらに基部６８の反対側にはＬ字状の係止部７０を有する。
【００２２】
以上の構成部材を有するＡＣアダプタ１０を組立てるには、まず、回路基板１８をケース下半体内２０ｂに取り付ける。ついで、２個の保持部半体１４ａ、１４ｂを嵌合して一体化する。ついで、回転軸４２にクリック感付与部材２４を取り付ける。
【００２３】
このとき、回転軸４２の外周は座部６４に当接するとともに、弾性爪部６６ａ、６６ｂの爪によって凹部が係止される。そして、回転軸４２を軸受部半体５２ｂに、回転軸３８を軸受部半体５０ｂにそれぞれ位置決めするとともに、係止部７０を突起部６０に嵌合して、プラグ１６およびクリック感付与部材２４をケース下半体に取り付ける。
【００２４】
さらに、ケース下半体２０ｂとの対応部位を位置決めしながら、ケース上半体２０ａをケース下半体２０ｂに被せる。最後に、ねじ等の係止部材（図示せず。）を円柱部５４ａおよび５４ｂ、５６ａおよび５６ｂの孔部に挿通し、固定することにより、ＡＣアダプタ１０が完成する。
【００２５】
ここで、図２を参照して軸受部半体５０ｂの突条部６２について説明する。突条部６２の内周（参照符号６２ａで示す。）は、軸受部半体５０ｂと略面一に円弧状に形成されている。これに対して、突条部６２の外周は、水平面から９０°下側の角度までの間は軸受部半体５０ｂの内周の軸受面と平行に円弧状（参照符号６２ｂで示す。）に形成されているが、その先は直線状（参照符号６２ｃで示す。）に形成され、さらにその先は、鈍角状（参照符号６２ｄで示す）に屈折しており、軸受面から漸次離間する。
【００２６】
この突条部６２に対して、ケース下半体２０ｂの上方から２個の保持部半体１４ａ、１４ｂを一体化したプラグ１６を位置決めし、舌片部３０と円柱状部３６との間に形成された隙間（溝部）７２を係合する。そして、プラグ１６を図２中矢印方向に９０°回転させて、Ｘ１−Ｘ２方向に配置することにより、ケース下半体内２０ｂにプラグ１６が収容される。なお、詳細は後述するが、ＡＣアダプタ１０の完成状態において、プラグ１６をさらに下方向に９０°回転させることにより、舌片部３０が突条部の外周に案内されながら移動し、プラグ１６のブレード１２ａ、１２ｂがケース２２の開口Ｅから引き出される。
つぎに、ＡＣアダプタ１０のプラグ１６の動作について、図３（ａ）、図３（ｂ）図４（ａ）、図４（ｂ）を参照して説明する。なお、図４（ａ）は図３（ａ）に、図４（ｂ）は図３（ｂ）にそれぞれ対応するものであり、図３中、ブレード１２ａが保持された保持部半体１４ａおよび突条部のみを取り出して両者の関係を模式的に示したものである。
【００２７】
ＡＣアダプタ１０を使用しないときは、図３（ａ）に示すように、プラグ１６をケース２２に収容する。これにより、ＡＣアダプタ１０の携行等が容易となる。このとき、図４（ａ）に示すように、舌片部３０は、突条部の円弧状部６２ｂと水平な直線部６２ｃとの境界部に係合しており、このため、２個の保持部半体１４ａ、１４ｂは、凹部３４の最奥部に矩形状部２６が進入して、２個の保持部半体１４ａ、１４ｂが密接した状態にある。この状態におけるブレード１２ａ、１２ｂの離間間隔Ｌ１に合わせて、ケース２２の厚み寸法Ｈ１が設定される。
【００２８】
ＡＣアダプタ１０を使用するときは、図３（ｂ）に示すように、ケース２２の側面の開口Ｃ（図１参照）から指を挿入してブレード１２ａを指に引っかけながら、下側の開口Ｅ（図１参照）から、ケース２２の下側にブレード１２ａを引き出すことにより、ブレード１２ａとともにブレード１２ｂをケース２２から引き出す。
【００２９】
このとき、ブレード１２ｂを保持した保持部半体１４ｂは回転軸３８、４２（図１参照）を中心にして回動するが、一方、図４（ｂ）に示すように、ブレード１２ａを保持した保持部半体１４ａは、舌片部３０が突条部の直線部６２ｃに案内されて水平方向（図３（ｂ）、図４（ｂ）中Ｘ方向）に、軸受部（あるいは回転軸）から離間する方向に移動する。これにより、２個の保持部半体１４ａ、１４ｂは、凹部３４の最奥部から矩形状部２６が後退して、保持部半体１４ａが保持部半体１４ｂから離間した状態に至る。したがって、舌片部３０および突条部は離間距離調整機構として作用する。
【００３０】
ここで、図３（ｂ）に示した状態、すなわち、水平方向から例えば３０°下方向にブレード１２ａを引き出した時点で、ブレード１２ａ、１２ｂは離間距離Ｌ２離間し、以後、ブレード１２ａを９０°下側に完全に引き出した状態においてもブレード１２ａ、１２ｂは離間距離Ｌ２を保持する。なお、保持部半体１４ｂから離間した保持部半体１４ａは、舌片部３０の背面部がケース２２の図示しないストッパ部に沿って移動することにより、９０°引き出した位置で停止し、固定されるとともに、所定の間隔以上保持部半体１４ｂから離間することはない。
【００３１】
なお、ブレード１２ａを引き出す操作を行う過程で、回転軸４２は凹凸部４２ａがクリック感付与部材２４の一対の弾性爪部６６ａ、６６ｂに係合しながら回動するため、良好なクリック感を得ながら操作を行うことができる。
【００３２】
上記の離間距離Ｌ２は、規格で定められたＡＣアダプタ１０使用時に必要な所定の寸法である。本実施の形態の第１の例に係るＡＣアダプタ１０によれば、ＡＣアダプタを使用しないときには、ブレード間の間隔が狭くなり、薄型化されたケースに収容することができ、一方、ＡＣアダプタを使用するときには、指によりブレードを引き出す操作をするだけで、容易に所定のブレード間の間隔とすることができる。
【００３３】
ここで、本実施の形態の第１の例に係るＡＣアダプタ１０におけるブレードの接点部と回路基板の接触子との電気的な接続機構について、図５を参照して説明する。
【００３４】
ブレード１２ａ、１２ｂをケース２２に収容した状態においては、回路基板１８に立設した対向する接触子４４ａ、４４ｂに対して、接点部３２、４０は、９０°回転した位置にある。そして、ブレード１２ａを、例えば略３０°回転させてケース２２の下方に引き出すことにより、接点部３２、４０が接触子４４ａ、４４ｂに当接し、その後さらに９０°の位置までブレード１２ａを回転させる間、接点部３２、４０が接触子４４ａ、４４ｂを押圧しながら弾性的に当接する。これにより、接点部が非弾性的に設けられた接触子に圧接されて経時的に磨耗損傷を起こす等の不具合を生じることなく、確実に電気的な接続を得ることができる。
【００３５】
つぎに、本実施の形態の第２の例に係るＡＣアダプタについて、図６〜図８を参照して説明する。
【００３６】
本実施の形態の第２の例に係るＡＣアダプタは、基本的な構成は本実施の形態の第２図の例に係るＡＣアダプタ１０と同様である。このため、本実施の形態の第２の例に係るＡＣアダプタについてＡＣアダプタ１０と同一の構成要素についてはＡＣアダプタ１０と同一の参照符号を付すと共に重複する説明を省略する。
【００３７】
本実施の形態の第２の例に係るＡＣアダプタは、２個の保持部半体の離間距離調整機構およびこの離間距離調整機構に必要な２個の保持部半体およびケースの形態がＡＣアダプタ１０とは異なる。なお、図６〜図８において、接点部および接触子の設けられた回路基板については省略している。
【００３８】
本実施の形態の第２の例に係るＡＣアダプタ７４は、図６に示すように、組み合わせて１対とされるそれぞれ１つの導電金属製のブレード１２ａ、１２ｂを延出した例えば絶縁樹脂製の２個の保持部半体７６ａ、７６ｂからなるプラグ７８と、プラグ７８を収容する絶縁樹脂製の上下半体８０ａ、８０ｂからなるケース８２とで略構成される。
【００３９】
保持部半体７６ａおよび保持部半体７６ｂには、相互に嵌合して離間可能な状態で一体化するための凹部８４、８６が形成されている。また、保持部半体７６ａには、クリック感付与部材２４に支持される回転軸４２が設けられるとともに、回転軸４２が設けられた側と反対の側には、軸受部半体８８ａが設けられている。
【００４０】
一方、保持部半体７６ｂには、回転軸半体８８ｂが設けられており、保持部半体７６ａと一体化した状態で回転軸８８を構成する。保持部半体７６ｂは、回転軸半体８８ｂが設けられた側と反対の側に突起部９０を有する。
【００４１】
ケース上半体８０ａは、プラグ７８を収容するための一対の縦壁部９２ａ、９４ａにアーチ状の２つの軸受部半体９６ａ、９８ａが設けられるとともに、縦壁部９４ａの軸受部半体９８ａの近傍に略Ｌ字状の溝部１００ａが形成されている。
【００４２】
ケース下半体８０ｂは、ケース上半体８０ａと略対応して、２つの軸受部半体９６ｂ、９８ｂを有する一対の縦壁部９２ｂ、９４ｂが設けられるとともに、ＡＣアダプタ７４組立状態において溝部１００ａと連通する、軸受部半体９８ｂの円弧面と平行な円弧状に形成された溝部１００ｂを有する。
【００４３】
ＡＣアダプタ７４を組立てた状態において、軸受部半体９６ａと軸受部半体９６ｂおよび軸受部半体９８ａと軸受部半体９８ｂとは、それぞれ軸受部を構成する。また、溝部１００ａおよび溝部１００ｂは、略Ｌ字状の案内溝１００を構成する（図８参照）。
【００４４】
つぎに、ＡＣアダプタ７４のプラグ７８の動作について、図７（ａ）、図７（ｂ）図８（ａ）、図８（ｂ）を参照して説明する。なお、図８（ａ）は図７（ａ）に、図８（ｂ）は図７（ｂ）にそれぞれ対応するものであり、図７中、ブレード１２ａが保持された保持部半体７６ａおよび縦壁部９４ａ、９４ｂに形成された案内溝１００のみを取り出して両者の関係を模式的に示したものである。
【００４５】
ＡＣアダプタ７４を使用しないときは、図７（ａ）に示すように、プラグ７８をケース８２に収容する。このとき、図８（ａ）に示すように、突起部９０は案内溝１００において最も回転軸４２（あるいは対応する軸受部）に近接して位置しており、２個の保持部半体７６ａ、７６ｂが密接した状態にある。この状態におけるブレード１２ａ、１２ｂの離間間隔Ｌ３に合わせて、ケース２２の厚み寸法Ｈ２が設定される。
【００４６】
ＡＣアダプタ７４を使用するときは、ブレード１２ａとともにブレード１２ｂをケース２２から引き出す。このとき、ブレード１２ａを保持した保持部半体１７６ａは回転軸８８、４２（図６参照）を中心にして回動するが、一方、図８（ｂ）に示すように、ブレード１２ｂを保持した保持部半体７６ｂは、突起部９０が案内溝１００に案内されて、図８（ａ）の状態より回転軸８８、４２から離れた位置に移動する。これにより、保持部半体７６ａの動きに保持部半体７６ｂの動きが取り残されて、保持部半体７６ｂは保持部半体７６ａから離間するに至る。したがって、突起部９０および案内溝１００は離間距離調整機構として作用する。
【００４７】
なお、保持部半体７６ａは、ケース８２の図示しないストッパ部に沿って移動することにより、９０°引き出した位置で停止し、固定されるとともに、所定の間隔以上保持部半体１４ｂから離間することはない。
【００４８】
ケース８２から引き出された状態において、ブレード１２ａ、１２ｂ間の離間間隔Ｌ４は離間間隔Ｌ３よりも大きな、規格で定められたＡＣアダプタ７４使用時に必要な所定の寸法である。
【００４９】
本実施の形態の第２の例に係るＡＣアダプタ７４によれば、本実施の形態の第１の例に係るＡＣアダプタ１０と同様の効果を得ることができる。
【図面の簡単な説明】
【００５０】
【図１】図１は、本実施の形態の第１の例に係るＡＣアダプタの組立分解斜視図である。
【図２】図２は、図１のＡＣアダプタのプラグをケースに取り付ける状態を説明するための図である。
【図３】図３は、図１のＡＣアダプタのプラグの動作を説明するための図であり、図３（ａ）はブレードをケースに収容した状態を示し、図３（ｂ）はブレードをケースから引き出した状態を示す。
【図４】図４は、図３のＡＣアダプタのプラグの動作を補足説明するために１つの保持部半体および突起部のみを取り出して示した模式図であり、図４（ａ）は図３（ａ）に対応し、図４（ｂ）は図３（ｂ）に対応する図である。
【図５】図５は、図１のＡＣアダプタの接触子に対する接点部の動作を説明するための図である。
【図６】図６は、本実施の形態の第２の例に係るＡＣアダプタの組立分解斜視図である。
【図７】図７は、図６のＡＣアダプタのプラグの動作を説明するための図であり、図７（ａ）はブレードをケースに収容した状態を示し、図７（ｂ）はブレードをケースから引き出した状態を示す。
【図８】図８は、図７のＡＣアダプタのプラグの動作を補足説明するために１つの保持部半体および案内溝のみを取り出して示した模式図であり、図８（ａ）は図７（ａ）に対応し、図８（ｂ）は図７（ｂ）に対応する図である。
【図９】図９は、従来例のＡＣアダプタを説明するためのものであり、図９（ａ）はブレードをケースから引き出した状態の側面図であり、図９（ｂ）はブレードをケースに収容した状態の部分断面図である。
【符号の説明】
【００５１】
１０、７４  ＡＣアダプタ
１２ａ、１２ｂ  ブレード
１４ａ、１４ｂ、７６ａ、７６ｂ  保持部半体
１６、７８  プラグ
１８  回路基板
２２、８２  ケース
２４  クリック感付与部材
３０  舌片部
３２、４０  接点部
３８、４２、８８  回転軸
４４ａ、４４ｂ  接触子
５０ａ、５０ｂ、５２ａ、５２ｂ、９６ａ、９６ｂ、９８ａ、９８ｂ  軸受部半体
６２  突条部
１００  案内溝
【図１】
0003719260.tif 000002
【図２】
0003719260.tif 000003
【図３】
0003719260.tif 000004
【図４】
0003719260.tif 000005
【図５】
0003719260.tif 000006
【図６】
0003719260.tif 000007
【図７】
0003719260.tif 000008
【図８】
0003719260.tif 000009
【図９】
0003719260.tif 000010